(57)【要約】  発泡体からなるスペーサーやサイレンサー等を基材の一面上に設けた自動車用内外装材において、車体への装着作業の簡易化と質感の向上を図ることができる自動車用内外装材及びその製造方法を提供するものであり、自動車の車体の所定箇所を覆うように使用する自動車用内外装材であって、所定形状に形成された基材１０、及び、基材１０の車体と向き合う一面上の所定箇所において、発泡樹脂を用いたインサート成形によって基材１０と一体になるように所定形状に形成されている発泡体１１、を備えており、上記基材１０は、車体のパネルＢＰの表面を覆って装飾するトリム部材１０Ａを構成し、上記発泡体１１は、上記パネルＢＰと上記トリム部材１０Ａとの間隔を所定長さに保つ複数のスペーサー１１Ａ〜１１Ｅと、吸音シート１３と、を構成している。
2013077003.tif 000002
【特許請求の範囲】
【請求項１】
自動車の車体の所定箇所を覆うように使用する自動車用内外装材であって、
所定形状に形成された基材、
及び、
上記基材の上記車体と向き合う一面上の所定箇所において、発泡樹脂を用いたインサート成形によって上記基材と一体になるように所定形状に形成されている発泡体、
を備えている
ことを特徴とする自動車用内外装材。
【請求項２】
上記基材は、上記車体のパネルの表面を覆って装飾するトリム部材を構成し、
上記発泡体は、上記パネルと上記トリム部材との間隔を所定長さに保つスペーサーを構成している
請求項１に記載の自動車用内外装材。
【請求項３】
上記発泡体は、上記スペーサーが複数と、さらに該スペーサー相互の間において該スペーサーと一体成形された吸音シートと、を構成している
請求項２に記載の自動車用内外装材。
【請求項４】
上記基材は、上記車体の所定箇所を覆って保護するライナー部材を構成し、
上記発泡体は、上記ライナー部材を介した自動車内への音の進入を抑制する吸音シートを構成している
請求項１に記載の自動車用内外装材。
【請求項５】
請求項１から請求項４の何れか一項に記載の自動車用内外装材の製造方法であって、
上記基材を受け治具に固定する第１工程と、
上記基材の一面と向き合うように成形凹部が設けられた押さえ治具と、上記受け治具との間に、上記基材を挟持する第２工程と、
上記成形凹部の内面と、上記基材の一面とに囲まれてなるキャビティ内に樹脂液を注入する第３工程と、
上記キャビティ内で上記樹脂液を発泡流動後に硬化させることで上記基材の一面上に上記発泡体を一体的に成形する第４工程と、
からなる
ことを特徴とする自動車用内外装材の製造方法。
【発明の詳細な説明】
【技術分野】
【０００１】
本発明は、例えば自動車のラゲージトリム、ラゲージマット、サイドトリム、デッキトリム、デッキボード、ドアトリム等のトリム部材や、フェンダーライナー等のライナー部材といった自動車用内外装材及びその製造方法に関するものである。
【背景技術】
【０００２】
通常、自動車用内外装材であるトリム部材やライナー部材は、合成樹脂や不織布からなる基材を、自動車のボディパネルやドアパネル等あるいはホイールハウスやトランクルーム等といった取付箇所の形状に対応するように、立体形状に成形して得られる（例えば特許文献１〜３参照）。また、こうしたトリム部材やライナー部材の基材は、その周縁部分をボディパネル等あるいはホイールハウスやトランクルーム等に当接させるように形成されている。
一方、トリム部材やライナー部材は、基材のみでなく、多くの場合、該基材の内面（車体側の面）上にスペーサーやサイレンサーなどが取り付けられている。
つまり、トリム部材であれば、略中央部分がボディパネル等から間隔を空けて浮いているので、触った時に大きく撓んで薄くて弱い手応えの質感に劣るものとなることを抑制するため、ボディパネル等との間に発泡樹脂製のスペーサーを介装させている（例えば特許文献４）。ライナー部材であれば、外部から車内へ騒音が入り込まないようにするために、基材の内面に発泡樹脂や不織布等からなるシート状のサイレンサーを接合している。
【先行技術文献】
【特許文献】
【０００３】
【特許文献１】特開２０１１−１１６１９０号公報
【特許文献２】特開２００７−３０１８８９号公報
【特許文献３】特開２００７−４５２４０号公報
【特許文献４】特開平１０−１６５５９号公報
【発明の概要】
【発明が解決しようとする課題】
【０００４】
ところが、上記従来の自動車用内外装材においては、車体への装着作業時において、基材へのスペーサーやサイレンサーなどの取り付けが煩雑で手間を要するものになり、また該スペーサーや該サイレンサーが取付箇所の形状等に対応せずに、該装着作業が繁雑であるという問題があった。
すなわち、上記スペーサーには、通常はブロック状の発泡体が使用されており、作業者は、該発泡体を適当な大きさに切って、該発泡体に接着剤を塗布し、一つ一つ位置を合わせながら基材に接着する、という一連の作業を手作業で行っている。また上記サイレンサーには、通常は繊維シートが使用されており、作業者は、該繊維シートを適当なサイズに裁断し、基材に接着あるいは縫着する、という作業を手作業で行っている。
また上記取付箇所において発泡体や繊維シートが当接される部位は、曲面であったり、補強材やユニットが取り付けられていたり、ハーネス類が配索されていたりして、凹凸になっている場合がある。該凹凸が小さければ発泡体や繊維シートを弾性変形させることで対応できるが、該弾性変形で対応出来ない場合は、トリム部材が車体から浮く等の外観不良を防止するため、該トリム部材の装着の邪魔にならないように、該発泡体や該繊維シートを手作業で削ったり、裁断し直したりする等の後加工が必要になってしまう。
さらに、補強材やユニットやハーネス類を避けようとしたり、装着作業を簡易にしようとしたりして上記発泡体の取付箇所の数を減らすと、上記発泡体の取付箇所相互の間隔が大きくなって、部分的にボディパネル等から浮いた状態のままの箇所ができてしまう。こうした部分的箇所は、上記発泡体の取付箇所の周縁に比べて面剛性が低下するため、上記発泡体の取付箇所に比べて触った時の撓みが明らかに大きくなり、質感を損なう原因になるという問題があった。
本発明は、上記従来技術に存在する問題点に着目してなされたものであり、その目的とするところは、発泡体からなるスペーサーやサイレンサー等を基材の一面上に設けた自動車用内外装材において、車体への装着作業の簡易化と質感の向上を図ることができる自動車用内外装材及びその製造方法を提供することにある。
【課題を解決するための手段】
【０００５】
上記の目的を達成するために、請求項１に記載の自動車用内外装材の発明は、自動車の車体の所定箇所を覆うように使用する自動車用内外装材であって、所定形状に形成された基材、及び、上記基材の上記車体と向き合う一面上の所定箇所において、発泡樹脂を用いたインサート成形によって上記基材と一体になるように所定形状に形成されている発泡体、を備えていることを要旨とする。
請求項２に記載の発明は、請求項１に記載の自動車用内外装材の発明において、上記基材は、上記車体のパネルの表面を覆って装飾するトリム部材を構成し、上記発泡体は、上記パネルと上記トリム部材との間隔を所定長さに保つスペーサーを構成していることを要旨とする。
請求項３に記載の発明は、請求項２に記載の自動車用内外装材の発明において、上記発泡体は、上記スペーサーが複数と、さらに該スペーサー相互の間において該スペーサーと一体成形された吸音シートと、を構成していることを要旨とする。
請求項４に記載の発明は、請求項１に記載の自動車用内外装材の発明において、上記基材は、上記車体の所定箇所を覆って保護するライナー部材を構成し、上記発泡体は、上記ライナー部材を介した自動車内への音の進入を抑制する吸音シートを構成していることを要旨とする。
請求項５に記載の自動車用内外装材の製造方法の発明は、請求項１から請求項４の何れか一項に記載の自動車用内外装材の製造方法であって、上記基材を受け治具に固定するする第１工程と、上記基材の一面と向き合うように成形凹部が設けられた押さえ治具と、上記受け治具との間に、上記基材を挟持する第２工程と、上記成形凹部の内面と、上記基材の一面とに囲まれてなるキャビティ内に樹脂液を注入する第３工程と、上記キャビティ内で上記樹脂液を発泡流動後に硬化させることで上記基材の一面上に上記発泡体を一体的に成形する第４工程と、からなることを要旨とする。
【発明の効果】
【０００６】
〔作用〕
本発明の自動車用内外装材は、受け治具と、成形凹部が設けられた押さえ治具とを成形型として利用したインサート成形により、基材の一面上に発泡体が一体的に形成されている。従って、本発明の自動車用内外装材は装着作業時において、基材の一面に発泡体を取付場所に気をつけつつ手作業で取り付けなくてもよい。加えて上記発泡体は、成形型として利用する押さえ治具の成形凹部の形状を調整することで、所望とする任意の形状とすることが可能であり、後加工で形状の調整をする必要がない。結果、車体への装着作業が簡易なものとなる。さらに本発明の自動車用内外装材は、上記発泡体を取付箇所に応じた所望の形状や位置とすることができるので、該発泡体を面剛性の部分的な低下を抑制する形状や位置にして、触った時の撓みを小さくすることにより、質感の向上を図ることができる。
また本発明の自動車用内外装材の製造方法によれば、自動車の車体に設計変更がある場合に、これに対応しやすいという利点を有している。つまり、従来であれば、設計変更に応じて取付順序や取付個数を変更するべく生産工程も変更する必要があるが、本発明の製造方法であれば、成形凹部が設けられた押さえ治具を交換するのみで、生産工程を変更する必要がない。加えて、本発明の製造方法によれば、キャビティへの樹脂液の注入量を変更することで、発泡体の密度を簡単に変更することができるため、該密度の変更に応じて面剛性、つまりは触った時の撓みを簡単に調整することができ、さらなる質感の向上を図ることができる。
上記自動車用内外装材は、基材であるトリム部材と発泡体であるスペーサーとからなる自動車用トリムや、基材であるライナー部材と発泡体である吸音シートからなる自動車用ライナーに適用されることが望ましい。
また、上記自動車用内外装材は、基材の一面上に発泡体を構成するスペーサーと吸音シートとを一体化して設けることが可能である。上記スペーサーと上記吸音シートとを一体化して設ける場合、スペーサーと吸音シートとをそれぞれ個別に設けるものに比べ、車体への装着作業が非常に簡易になる。【０００７】
〔効果〕
本発明によれば、発泡体からなるスペーサーやサイレンサー等を基材の一面上に設けた自動車用内外装材において、車体への装着作業の簡易化と質感の向上を図ることができる自動車用内外装材及びその製造方法を提供することができる。
【図面の簡単な説明】
【０００８】
【図１】実施形態の自動車用内外装材を示す（ａ）は表面側からの斜視図、（ｂ）は裏面側からの斜視図、（ｃ）は車体に装着した状態の断面図。
【図２】自動車用内外装材の製造の第１工程を示す断面図。
【図３】自動車用内外装材の製造の第２工程を示す断面図。
【図４】自動車用内外装材の製造の第３工程を示す断面図。
【図５】自動車用内外装材の製造の第４工程を示す断面図。
【図６】別形態の自動車用内外装材を示す断面図。
【図７】別形態の自動車用内外装材を示す断面図。
【発明を実施するための形態】
【０００９】
以下、本発明の自動車用内外装材を具体化した一実施形態について説明する。
図１（ａ）〜（ｃ）に示すように、自動車用内外装材は、基材１０と、該基材１０の裏面に設けられた発泡体１１と、を備えている。
上記基材１０は、自動車の車体の所定箇所を覆うために、所定形状に形成されている。本実施形態の基材１０は、自動車のラゲージルーム内で側面に露出する車体パネルＢＰを覆うためのラゲージトリム１０Ａを構成している。
上記発泡体１１は、上記基材１０の裏面で、該基材１０と一体になるようにインサート成形によって所定形状に形成されている。本実施形態の発泡体１１は、上記車体パネルＢＰと上記ラゲージトリム１０Ａとの間隔を所定長さに保つためのスペーサー１１Ａ，１１Ｂ，１１Ｃ，１１Ｄ，１１Ｅと、吸音シート１３と、を構成している。
【００１０】
上記スペーサー１１Ａ〜１１Ｅのうち、上記ラゲージトリム１０Ａの上部に設けられたスペーサー１１Ａ，１１Ｂは、上記車体パネルＢＰ上における該スペーサー１１Ａ，１１Ｂの当接部位の近傍にハーネスＨが配索されているので、該ハーネスＨに当たらないような形状になるように形成されている。
一方、上記スペーサー１１Ａ〜１１Ｅのうち、上記ラゲージトリム１０Ａの下部に設けられたスペーサー１１Ｃ，１１Ｄは、該スペーサー１１Ｃ，１１Ｄの当接部位となる車体パネルＢＰがホイールハウスであって傾斜面となっているので、該当接部位に応じた形状になるように形成されている。
また上記スペーサー１１Ａ〜１１Ｅは、上記ラゲージトリム１０Ａの内面上で相互の間隔が略均等になる位置に形成されており、該ラゲージトリム１０Ａの面剛性の部分的な低下を防止することで、上記ラゲージトリム１０Ａを外面側から触った時の撓みを小さくして、質感を向上させている。
上記吸音シート１３は、上記スペーサー１１Ａ〜１１Ｅ相互の間において、該スペーサー１１Ａ〜１１Ｅと一体成形されている。該吸音シート１３は、車内に入り込もうとする騒音に対し、緩衝吸音機能を発揮することにより、該騒音を低減している。
【００１１】
上記基材１０は、例えばポリプロピレン、ポリエチレン等のオレフィン系樹脂や、ポリエチレンテレフタレート等のエステル系樹脂、アクリロニトリル−ブタジエン−スチレン共重合樹脂（ＡＢＳ樹脂）等の熱可塑性樹脂や、不織布等を材料に用い、射出成形、真空・圧空成形、加熱プレス成形等の成形方法で所定形状に形成されている。
上記発泡体１１は、樹脂液を発泡させてなる、例えばポリウレタンフォーム、ポリスチレンフォーム、ポリオレフィンフォーム、フェノール樹脂発泡体、ポリ塩化ビニル発泡体、シリコーン発泡体等の発泡樹脂を材料に用い、所定形状に形成されている。該発泡樹脂の中でも、ポリウレタンフォームは、入手が容易であり、モールディング発泡や注入発泡等といった注型発泡成形法によるインサート成形に好適であり、上記基材１０に好適に接合（粘着）できるため、望ましい。
上記ポリウレタンフォームには、主にポリオール成分からなるＡ液と、イソシアネート成分からなるＢ液と、を混合して使用する２液型のものを使用することが望ましい。これは、２液型のポリウレタンフォームを使用することで、耐熱性、吸音性、硬度（弾性）等の特性と粘着性を好適に調整することができるためである。
上記発泡体１１は、上記ポリウレタンフォームを用いて形成される場合、その密度を１０〜１００ｋｇ／ｍ３に設定することが望ましく、またスペーサーとしての使用を主目的とするのであれば３０ｋｇ／ｍ３〜１００ｋｇ／ｍ３に設定することがより望ましく、吸音シートとしての使用を主目的とするのであれば１０〜２０ｋｇ／ｍ３に設定することがより望ましい。密度が１０ｋｇ／ｍ３に満たない場合、スペーサーとして使用するには発泡体１１が軟らかすぎて、上記ラゲージトリム１０Ａを外面側から触った時の撓みが大きくなり質感が低下してしまうおそれがある。密度が１００ｋｇ／ｍ３を超える場合、吸音シートとして使用するには発泡体１１が硬すぎて、充分な緩衝吸音機能を発揮することができず、音を反射してしまうことで却って騒音を発生させてしまうおそれがある。
【００１２】
上記自動車用内外装材の製造方法について説明する。
上記自動車用内外装材の製造においては、上記基材１０を固定するための受け治具５０と、上記発泡体１１を成形するための押さえ治具５１と、を使用する。
図２に示すように、上記受け治具５０は、上記基材１０を固定するべく、その上面に上記基材１０（本実施形態であればラゲージトリム１０Ａ）の表面と対応する形状の固定凹部５０ａが形成されている。そして、該固定凹部５０ａに嵌め込まれた上記基材１０は、上記発泡体１１が成形される裏面を外方に向けるようにして、該受け治具５０に固定されるようになっている。
図３に示すように、上記押さえ治具５１は、上記受け治具５０に固定された上記基材１０の裏面と向き合うことになる下面に、成形凹部５２が形成されている。該成形凹部５２は、上記発泡体１１を成形するためのものであり、上記スペーサー１１Ａ〜１１Ｅの形状に対応する形状に形成された凹部５２Ａ，５２Ｂ，５２Ｃと、上記吸音シート１３の形状に対応する形状に形成された凹部５２Ｄと、の相互の内部を一体的に繋げて形成されたものである（但し、図３中ではスペーサー１１Ａ，１１Ｅに対応する凹部が省略されている）。また上記押さえ治具５１の下面には、上記受け治具５０との間で上記基材１０を挟持固定することができるように、上記基材１０の裏面と対応する形状の固定凸部５１ｂが形成されている。
上記押さえ治具５１の上面には、複数の注入孔５３Ａ，５３Ｂ，５３Ｃが、それぞれ上記成形凹部５２の内部で凹部５２Ａ，５２Ｂ，５２Ｃと連通するように形成されている。そして樹脂液を、注入孔５３Ａからは凹部５２Ａの内部へ、注入孔５３Ｂからは凹部５２Ｂの内部へ、注入孔５３Ｃからは凹部５２Ｃの内部へ注入でき、さらに凹部５２Ａ，５２Ｂ，５２Ｃのそれぞれの内部から凹部５２Ｄへ樹脂液を注入できるようになっている。また上記押さえ治具５１の上面には、持ち手５１ｄが設けられ、該持ち手５１ｄを使用することで、上記受け治具５０に対して該押さえ治具５１を容易に移動させることができる。
上記受け治具５０及び上記押さえ治具５１に用いる材質としては、熱可塑性樹脂、熱硬化性樹脂等の合成樹脂、鉄、銅、アルミニウム等の金属、石膏等が挙げられるが、上記基材１０の形状に対応させやすい、取り扱いや運搬が容易である等の観点から、合成樹脂が望ましく、なかでも熱硬化性樹脂は、強度と耐久性が好適であるため、より望ましい。
【００１３】
上記自動車用内外装材の製造の第１工程では、上記基材１０が受け治具５０に固定される。なお上記基材１０であるラゲージトリム１０Ａは、該製造とは別の工程で予め成形されたものである（図２参照）。
製造の第２工程では、上記受け治具５０に固定された上記基材１０に対し、上記押さえ治具５１が被着され、上記受け治具５０と上記押さえ治具５１との間に上記基材１０が挟持される（図３参照）。
製造の第３工程では、上記押さえ治具５１の成形凹部５２の内面と、上記基材１０の裏面とに囲まれてなるキャビティ５４内に、上記注入孔５３Ａ，５３Ｂ，５３Ｃを介して樹脂液が注入される（図４参照）。
製造の第４工程では、上記キャビティ５４内に注入された上記樹脂液を発泡流動後に硬化させることにより、上記発泡体１１によって構成される上記スペーサー１１Ａ〜１１Ｅ及び吸音シート１３が上記基材１０の裏面上に一体的に成形される（図５参照）。
上記第４工程の後、上記押さえ治具５１が取り除かれ、上記自動車用内外装材が得られる。
【００１４】
上記第３工程において、樹脂液の注入には、注入ガン（図示略）が使用される。また上記発泡体１１の材料にポリウレタンフォームが用いられる場合、ポリウレタンを発泡させるには、該ポリウレタンの原料混合物に反応性発泡剤や不活性発泡剤を添加して機械的に発泡させる方法を採用することが望ましい。該機械的に発泡させる方法としては、ミキシングヘッドから原料混合物を液状で吐出させ、その液状吐出物をクリーム状とした後で発泡させるノンフロス法、ミキシングヘッドから原料混合物を泡状に吐出させるフロス法、原料混合物を圧搾空気によってスプレーする吹付発泡法等が適用される。また上記発泡体１１の密度の調整は、該第３工程において、樹脂液の注入量が調節されることによって行われる。
上記第４工程において、上記樹脂液を硬化は、必要に応じて圧縮、加熱を行なってもよく、あるいはフリーフォーミングで樹脂液を発泡させて自然硬化させてもよい。また上記発泡体１１の材料にポリウレタンフォームが用いられる場合、ポリウレタンが有する粘着性によって上記基材１０に接合してもよく、あるいは予め基材１０の裏面にホットメルト接着剤やウレタン系接着剤等の接着剤を塗布し、該接着剤によって接合してもよい。
【００１５】
本発明の自動車用内外装材は、上記実施形態で示した構成に限定されず、以下のように変更してもよい。
上記キャビティ５４を複数の空間に区画し、各空間への樹脂液の注入量をそれぞれ変更することで、上記発泡体１１の密度を部分的に変えてもよい。例えば、上記押さえ治具５１の成形凹部５２の内部において、凹部５２Ａと凹部５２Ｂとの間、凹部５２Ｂと凹部５２Ｃとの間にそれぞれ区画壁を設け、該区画壁によって該キャビティ５４の内部を３つの空間に区画し、３つの空間のうち凹部５２Ｂを有する空間への樹脂液の注入量を、凹部５２Ａ及び凹部５２Ｃを有する空間への樹脂液の注入量に比べて少なくすることにより、スペーサー１１Ｂとスペーサー１１Ｃの密度に比べて、スペーサー１１Ｄの密度を小さくすることができる。
なお上記のように樹脂液の注入量を変えて上記発泡体１１の密度を部分的に変える場合、製造の第３工程においては、各空間へ樹脂液を注入する注入ガンは同じものを使用して樹脂液の注入量のみを変えてもよく、あるいは各空間でそれぞれ異なる注入ガンを使用してもよい。
また上記のように成形凹部５２の内部を複数の空間に区画する場合、上記発泡体１１によって構成される上記スペーサー１１Ａ〜１１Ｅと上記基材１０によって構成されるラゲージトリム１０Ａとが一体になっており、かつ上記発泡体１１によって構成される吸音シート１３と上記基材１０によって構成されるラゲージトリム１０Ａとが一体になっているのであれば、成形凹部５２の内部を、スペーサーを成形するための空間と、吸音シートを成形するための空間と、で区画することにより、スペーサー１１Ａ〜１１Ｅと、上記吸音シート１３と、を別体的に形成してもよい。
【００１６】
図６に示すように、自動車用内外装材において、上記発泡体１１により、上記スペーサー１１Ａ〜１１Ｅのみを構成してもよい。該自動車用内外装材の製造は、上記押さえ治具５１に、上記スペーサー１１Ａ〜１１Ｅを成形するための複数の成形凹部５２を形成することで対応することができる。
図７に示すように、自動車用内外装材は、上記基材１０によってライナー部材であるフェンダーライナー２０Ａを構成し、上記発泡体１１によってスペーサー２１Ａ及び吸音シート２１Ｂを構成してもよい。上記フェンダーライナー２０Ａは、自動車のホイールハウス内において、車輪の上部を覆うことにより、該車輪が跳ね上げる小石や砂利や雨水を車内等に進入させないようにするためのものである。また吸音シート２１Ａは、該車輪によるロードノイズや小石等が上記フェンダーライナー２０Ａに衝突して発生するチッピングノイズなどといった騒音が上記フェンダーライナー２０Ａを介して自動車内へ進入することを抑制するものである。
【００１７】
上記基材１０により、上記トリム部材として、ラゲージマット、サイドトリム、デッキトリム、デッキボード、ドアトリム、ドアオープニングトリム等を構成してもよい。また上記基材１０により、上記ライナー部材として、車室内の天井を覆うヘッドライニング、車室内の床を覆うフロアライニング等を構成してもよい。また自動車用内外装材は、ダッシュサイレンサ−、エンジンフードサイレンサー、トランクリッドサイレンサー、バンパーコア、マッドガード、ボディサイドモール等としてもよい。
【産業上の利用可能性】
【００１８】
本発明の自動車用内外装材は、発泡体からなるスペーサーやサイレンサー等が基材の一面上に一体的に形成されているので、車体への装着作業の簡易化を図ることができるから、産業上利用可能である。
【符号の説明】
【００１９】
１０      基材
１０Ａ    ラゲージトリム
２０Ａ    フェンダーライナー
１１      発泡体
１１Ａ，１１Ｂ，１１Ｃ，１１Ｄ，１１Ｅ  スペーサー
１３      吸音シート
２１Ａ    スペーサー
２１Ｂ    吸音シート
５０      受け治具
５１      押さえ治具
５１ａ    成形凹部
【図１】
2013077003.tif 000003
【図２】
2013077003.tif 000004
【図３】
2013077003.tif 000005
【図４】
2013077003.tif 000006
【図５】
2013077003.tif 000007
【図６】
2013077003.tif 000008
【図７】
2013077003.tif 000009
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
自動車の車体の所定箇所を覆うように使用する自動車用内外装材であって、
所定形状に形成された基材、
及び、
上記基材の上記車体と向き合う一面上の所定箇所において、発泡樹脂を用いたインサート成形によって上記基材と一体になるように所定形状に形成されている発泡体からなる複数のスペーサー、
を備え、
上記基材は、上記車体のパネルの表面を覆って装飾するトリム部材又は上記車体の所定箇所を覆って保護するライナー部材を構成し、
上記複数のスペーサーによって、上記パネルと上記トリム部材との間隔又は上記車体の所定箇所と上記ライナー部材との間隔は所定長さに保たれ、
上記トリム部材又は上記ライナー部材を外面側から触った時の撓みを小さくするべく、上記複数のスペーサーは、上記トリム部材又は上記ライナー部材の内面上で相互の間隔が略均等になる位置に形成されている
ことを特徴とする自動車用内外装材。
【請求項２】
（削除）
【請求項３】
上記発泡体は、上記複数のスペーサーと、さらに該複数のスペーサー相互の間において該スペーサーと一体成形された吸音シートと、を構成している
請求項１に記載の自動車用内外装材。
【請求項４】
（削除）
【請求項５】
請求項１又は請求項２に記載の自動車用内外装材の製造方法であって、
上記トリム部材又は上記ライナー部材を受け治具に固定する第１工程と、
上記トリム部材又は上記ライナー部材の一面と向き合うように成形凹部が設けられた押さえ治具と、上記受け治具との間に、上記トリム部材又は上記ライナー部材を挟持する第２工程と、
上記成形凹部の内面と、上記基材の一面とに囲まれてなるキャビティ内に樹脂液を注入する第３工程と、
上記キャビティ内で上記樹脂液を発泡流動後に硬化させることで上記トリム部材又は上記ライナー部材の一面上に上記複数のスペーサーを一体的に成形する第４工程と、
からなる
ことを特徴とする自動車用内外装材の製造方法。
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
自動車の車体の所定箇所を覆うように使用する自動車用内外装材であって、
所定形状に形成された基材、
及び、
上記基材の上記車体と向き合う一面上の所定箇所において、発泡樹脂を用いたインサート成形によって上記基材と一体になるように所定形状に形成されている発泡体からなる複数のスペーサー、
を備え、
上記基材は、上記車体のパネルの表面を覆って装飾するトリム部材又は上記車体の所定箇所を覆って保護するライナー部材を構成し、
上記複数のスペーサーによって、上記パネルと上記トリム部材との間隔又は上記車体の所定箇所と上記ライナー部材との間隔は所定長さに保たれ、
上記トリム部材又は上記ライナー部材を外面側から触った時の撓みを小さくするべく、上記複数のスペーサーは、上記トリム部材又は上記ライナー部材の内面上で相互の間隔が略均等になる位置に形成されている
ことを特徴とする自動車用内外装材。
【請求項２】
上記発泡体は、上記スペーサーが複数と、さらに該スペーサー相互の間において該スペーサーと一体成形された吸音シートと、を構成している
請求項１に記載の自動車用内外装材。
【請求項３】
請求項１又は請求項２に記載の自動車用内外装材の製造方法であって、
上記基材を受け治具に固定する第１工程と、
上記基材の一面と向き合うように成形凹部が設けられた押さえ治具と、上記受け治具との間に、上記基材を挟持する第２工程と、
上記成形凹部の内面と、上記基材の一面とに囲まれてなるキャビティ内に樹脂液を注入する第３工程と、
上記キャビティ内で上記樹脂液を発泡流動後に硬化させることで上記基材の一面上に上記発泡体を一体的に成形する第４工程と、
からなる
ことを特徴とする自動車用内外装材の製造方法。
【手続補正２】
【補正対象書類名】明細書
【補正対象項目名】全文
【補正方法】変更
【補正の内容】
【発明の詳細な説明】
【技術分野】
【０００１】
本発明は、例えば自動車のラゲージトリム、ラゲージマット、サイドトリム、デッキトリム、デッキボード、ドアトリム等のトリム部材や、フェンダーライナー等のライナー部材といった自動車用内外装材及びその製造方法に関するものである。
【背景技術】
【０００２】
通常、自動車用内外装材であるトリム部材やライナー部材は、合成樹脂や不織布からなる基材を、自動車のボディパネルやドアパネル等あるいはホイールハウスやトランクルーム等といった取付箇所の形状に対応するように、立体形状に成形して得られる（例えば特許文献１〜３参照）。また、こうしたトリム部材やライナー部材の基材は、その周縁部分をボディパネル等あるいはホイールハウスやトランクルーム等に当接させるように形成されている。
一方、トリム部材やライナー部材は、基材のみでなく、多くの場合、該基材の内面（車体側の面）上にスペーサーやサイレンサーなどが取り付けられている。
つまり、トリム部材であれば、略中央部分がボディパネル等から間隔を空けて浮いているので、触った時に大きく撓んで薄くて弱い手応えの質感に劣るものとなることを抑制するため、ボディパネル等との間に発泡樹脂製のスペーサーを介装させている（例えば特許文献４）。ライナー部材であれば、外部から車内へ騒音が入り込まないようにするために、基材の内面に発泡樹脂や不織布等からなるシート状のサイレンサーを接合している。
【先行技術文献】
【特許文献】
【０００３】
【特許文献１】特開２０１１−１１６１９０号公報
【特許文献２】特開２００７−３０１８８９号公報
【特許文献３】特開２００７−４５２４０号公報
【特許文献４】特開平１０−１６５５９号公報
【発明の概要】
【発明が解決しようとする課題】
【０００４】
ところが、上記従来の自動車用内外装材においては、車体への装着作業時において、基材へのスペーサーやサイレンサーなどの取り付けが煩雑で手間を要するものになり、また該スペーサーや該サイレンサーが取付箇所の形状等に対応せずに、該装着作業が繁雑であるという問題があった。
すなわち、上記スペーサーには、通常はブロック状の発泡体が使用されており、作業者は、該発泡体を適当な大きさに切って、該発泡体に接着剤を塗布し、一つ一つ位置を合わせながら基材に接着する、という一連の作業を手作業で行っている。また上記サイレンサーには、通常は繊維シートが使用されており、作業者は、該繊維シートを適当なサイズに裁断し、基材に接着あるいは縫着する、という作業を手作業で行っている。
また上記取付箇所において発泡体や繊維シートが当接される部位は、曲面であったり、補強材やユニットが取り付けられていたり、ハーネス類が配索されていたりして、凹凸になっている場合がある。該凹凸が小さければ発泡体や繊維シートを弾性変形させることで対応できるが、該弾性変形で対応出来ない場合は、トリム部材が車体から浮く等の外観不良を防止するため、該トリム部材の装着の邪魔にならないように、該発泡体や該繊維シートを手作業で削ったり、裁断し直したりする等の後加工が必要になってしまう。
さらに、補強材やユニットやハーネス類を避けようとしたり、装着作業を簡易にしようとしたりして上記発泡体の取付箇所の数を減らすと、上記発泡体の取付箇所相互の間隔が大きくなって、部分的にボディパネル等から浮いた状態のままの箇所ができてしまう。こうした部分的箇所は、上記発泡体の取付箇所の周縁に比べて面剛性が低下するため、上記発泡体の取付箇所に比べて触った時の撓みが明らかに大きくなり、質感を損なう原因になるという問題があった。
本発明は、上記従来技術に存在する問題点に着目してなされたものであり、その目的とするところは、発泡体からなるスペーサーやサイレンサー等を基材の一面上に設けた自動車用内外装材において、車体への装着作業の簡易化と質感の向上を図ることができる自動車用内外装材及びその製造方法を提供することにある。
【課題を解決するための手段】
【０００５】
上記の目的を達成するために、請求項１に記載の自動車用内外装材の発明は、自動車の車体の所定箇所を覆うように使用する自動車用内外装材であって、所定形状に形成された基材、及び、上記基材の上記車体と向き合う一面上の所定箇所において、発泡樹脂を用いたインサート成形によって上記基材と一体になるように所定形状に形成されている発泡体からなる複数のスペーサー、を備え、上記基材は、上記車体のパネルの表面を覆って装飾するトリム部材又は上記車体の所定箇所を覆って保護するライナー部材を構成し、上記複数のスペーサーによって、上記パネルと上記トリム部材との間隔又は上記車体の所定箇所と上記ライナー部材との間隔は所定長さに保たれ、上記トリム部材又は上記ライナー部材を外面側から触った時の撓みを小さくするべく、上記複数のスペーサーは、上記トリム部材又は上記ライナー部材の内面上で相互の間隔が略均等になる位置に形成されていることを要旨とする。
請求項２に記載の発明は、請求項１に記載の自動車用内外装材の発明において、上記スペーサーが複数と、さらに該スペーサー相互の間において該スペーサーと一体成形された吸音シートと、を構成していることを要旨とする。
請求項３に記載の自動車用内外装材の製造方法の発明は、請求項１又は請求項２に記載の自動車用内外装材の製造方法であって、上記基材を受け治具に固定するする第１工程と、上記基材の一面と向き合うように成形凹部が設けられた押さえ治具と、上記受け治具との間に、上記基材を挟持する第２工程と、上記成形凹部の内面と、上記基材の一面とに囲まれてなるキャビティ内に樹脂液を注入する第３工程と、上記キャビティ内で上記樹脂液を発泡流動後に硬化させることで上記基材の一面上に上記発泡体を一体的に成形する第４工程と、からなることを要旨とする。
【発明の効果】
【０００６】
〔作用〕
本発明の自動車用内外装材は、受け治具と、成形凹部が設けられた押さえ治具とを成形型として利用したインサート成形により、車体のパネルの表面を覆って装飾するトリム部材又は車体の所定箇所を覆って保護するライナー部材を構成する基材の一面上に発泡体からなる複数のスペーサーが一体的に形成されている。従って、本発明の自動車用内外装材は装着作業時において、基材の一面に発泡体からなる複数のスペーサーを取付場所に気をつけつつ手作業で取り付けなくてもよい。加えて上記発泡体からなる複数のスペーサーは、成形型として利用する押さえ治具の成形凹部の形状を調整することで、所望とする任意の形状とすることが可能であり、後加工で形状の調整をする必要がない。結果、車体への装着作業が簡易なものとなる。さらに本発明の自動車用内外装材は、上記発泡体からなる記複数のスペーサーは、取付箇所に応じた所望の形状とすることができ、また上記トリム部材又は上記ライナー部材の内面上で相互の間隔が略均等になる位置に形成されているので、トリム部材又は上記ライナー部材を外面側から触った時の撓みを小さくすることにより、質感の向上を図ることができる。
また本発明の自動車用内外装材の製造方法によれば、自動車の車体に設計変更がある場合に、これに対応しやすいという利点を有している。つまり、従来であれば、設計変更に応じて取付順序や取付個数を変更するべく生産工程も変更する必要があるが、本発明の製造方法であれば、成形凹部が設けられた押さえ治具を交換するのみで、生産工程を変更する必要がない。加えて、本発明の製造方法によれば、キャビティへの樹脂液の注入量を変更することで、発泡体の密度を簡単に変更することができるため、該密度の変更に応じて面剛性、つまりは触った時の撓みを簡単に調整することができ、さらなる質感の向上を図ることができる。
【０００７】
〔効果〕
本発明によれば、発泡体からなるスペーサーやサイレンサー等を基材の一面上に設けた自動車用内外装材において、車体への装着作業の簡易化と質感の向上を図ることができる自動車用内外装材及びその製造方法を提供することができる。
【図面の簡単な説明】
【０００８】
【図１】実施形態の自動車用内外装材を示す（ａ）は表面側からの斜視図、（ｂ）は裏面側からの斜視図、（ｃ）は車体に装着した状態の断面図。
【図２】自動車用内外装材の製造の第１工程を示す断面図。
【図３】自動車用内外装材の製造の第２工程を示す断面図。
【図４】自動車用内外装材の製造の第３工程を示す断面図。
【図５】自動車用内外装材の製造の第４工程を示す断面図。
【図６】別形態の自動車用内外装材を示す断面図。
【図７】別形態の自動車用内外装材を示す断面図。
【発明を実施するための形態】
【０００９】
以下、本発明の自動車用内外装材を具体化した一実施形態について説明する。
図１（ａ）〜（ｃ）に示すように、自動車用内外装材は、基材１０と、該基材１０の裏面に設けられた発泡体１１と、を備えている。
上記基材１０は、自動車の車体の所定箇所を覆うために、所定形状に形成されている。本実施形態の基材１０は、自動車のラゲージルーム内で側面に露出する車体パネルＢＰを覆うためのラゲージトリム１０Ａを構成している。
上記発泡体１１は、上記基材１０の裏面で、該基材１０と一体になるようにインサート成形によって所定形状に形成されている。本実施形態の発泡体１１は、上記車体パネルＢＰと上記ラゲージトリム１０Ａとの間隔を所定長さに保つためのスペーサー１１Ａ，１１Ｂ，１１Ｃ，１１Ｄ，１１Ｅと、吸音シート１３と、を構成している。
【００１０】
上記スペーサー１１Ａ〜１１Ｅのうち、上記ラゲージトリム１０Ａの上部に設けられたスペーサー１１Ａ，１１Ｂは、上記車体パネルＢＰ上における該スペーサー１１Ａ，１１Ｂの当接部位の近傍にハーネスＨが配索されているので、該ハーネスＨに当たらないような形状になるように形成されている。
一方、上記スペーサー１１Ａ〜１１Ｅのうち、上記ラゲージトリム１０Ａの下部に設けられたスペーサー１１Ｃ，１１Ｄは、該スペーサー１１Ｃ，１１Ｄの当接部位となる車体パネルＢＰがホイールハウスであって傾斜面となっているので、該当接部位に応じた形状になるように形成されている。
また上記スペーサー１１Ａ〜１１Ｅは、上記ラゲージトリム１０Ａの内面上で相互の間隔が略均等になる位置に形成されており、該ラゲージトリム１０Ａの面剛性の部分的な低下を防止することで、上記ラゲージトリム１０Ａを外面側から触った時の撓みを小さくして、質感を向上させている。
上記吸音シート１３は、上記スペーサー１１Ａ〜１１Ｅ相互の間において、該スペーサー１１Ａ〜１１Ｅと一体成形されている。該吸音シート１３は、車内に入り込もうとする騒音に対し、緩衝吸音機能を発揮することにより、該騒音を低減している。
【００１１】
上記基材１０は、例えばポリプロピレン、ポリエチレン等のオレフィン系樹脂や、ポリエチレンテレフタレート等のエステル系樹脂、アクリロニトリル−ブタジエン−スチレン共重合樹脂（ＡＢＳ樹脂）等の熱可塑性樹脂や、不織布等を材料に用い、射出成形、真空・圧空成形、加熱プレス成形等の成形方法で所定形状に形成されている。
上記発泡体１１は、樹脂液を発泡させてなる、例えばポリウレタンフォーム、ポリスチレンフォーム、ポリオレフィンフォーム、フェノール樹脂発泡体、ポリ塩化ビニル発泡体、シリコーン発泡体等の発泡樹脂を材料に用い、所定形状に形成されている。該発泡樹脂の中でも、ポリウレタンフォームは、入手が容易であり、モールディング発泡や注入発泡等といった注型発泡成形法によるインサート成形に好適であり、上記基材１０に好適に接合（粘着）できるため、望ましい。
上記ポリウレタンフォームには、主にポリオール成分からなるＡ液と、イソシアネート成分からなるＢ液と、を混合して使用する２液型のものを使用することが望ましい。これは、２液型のポリウレタンフォームを使用することで、耐熱性、吸音性、硬度（弾性）等の特性と粘着性を好適に調整することができるためである。
上記発泡体１１は、上記ポリウレタンフォームを用いて形成される場合、その密度を１０〜１００ｋｇ／ｍ3に設定することが望ましく、またスペーサーとしての使用を主目的とするのであれば３０ｋｇ／ｍ3〜１００ｋｇ／ｍ3に設定することがより望ましく、吸音シートとしての使用を主目的とするのであれば１０〜２０ｋｇ／ｍ3に設定することがより望ましい。密度が１０ｋｇ／ｍ3に満たない場合、スペーサーとして使用するには発泡体１１が軟らかすぎて、上記ラゲージトリム１０Ａを外面側から触った時の撓みが大きくなり質感が低下してしまうおそれがある。密度が１００ｋｇ／ｍ3を超える場合、吸音シートとして使用するには発泡体１１が硬すぎて、充分な緩衝吸音機能を発揮することができず、音を反射してしまうことで却って騒音を発生させてしまうおそれがある。
【００１２】
上記自動車用内外装材の製造方法について説明する。
上記自動車用内外装材の製造においては、上記基材１０を固定するための受け治具５０と、上記発泡体１１を成形するための押さえ治具５１と、を使用する。
図２に示すように、上記受け治具５０は、上記基材１０を固定するべく、その上面に上記基材１０（本実施形態であればラゲージトリム１０Ａ）の表面と対応する形状の固定凹部５０ａが形成されている。そして、該固定凹部５０ａに嵌め込まれた上記基材１０は、上記発泡体１１が成形される裏面を外方に向けるようにして、該受け治具５０に固定されるようになっている。
図３に示すように、上記押さえ治具５１は、上記受け治具５０に固定された上記基材１０の裏面と向き合うことになる下面に、成形凹部５２が形成されている。該成形凹部５２は、上記発泡体１１を成形するためのものであり、上記スペーサー１１Ａ〜１１Ｅの形状に対応する形状に形成された凹部５２Ａ，５２Ｂ，５２Ｃと、上記吸音シート１３の形状に対応する形状に形成された凹部５２Ｄと、の相互の内部を一体的に繋げて形成されたものである（但し、図３中ではスペーサー１１Ａ，１１Ｅに対応する凹部が省略されている）。また上記押さえ治具５１の下面には、上記受け治具５０との間で上記基材１０を挟持固定することができるように、上記基材１０の裏面と対応する形状の固定凸部５１ｂが形成されている。
上記押さえ治具５１の上面には、複数の注入孔５３Ａ，５３Ｂ，５３Ｃが、それぞれ上記成形凹部５２の内部で凹部５２Ａ，５２Ｂ，５２Ｃと連通するように形成されている。そして樹脂液を、注入孔５３Ａからは凹部５２Ａの内部へ、注入孔５３Ｂからは凹部５２Ｂの内部へ、注入孔５３Ｃからは凹部５２Ｃの内部へ注入でき、さらに凹部５２Ａ，５２Ｂ，５２Ｃのそれぞれの内部から凹部５２Ｄへ樹脂液を注入できるようになっている。また上記押さえ治具５１の上面には、持ち手５１ｄが設けられ、該持ち手５１ｄを使用することで、上記受け治具５０に対して該押さえ治具５１を容易に移動させることができる。
上記受け治具５０及び上記押さえ治具５１に用いる材質としては、熱可塑性樹脂、熱硬化性樹脂等の合成樹脂、鉄、銅、アルミニウム等の金属、石膏等が挙げられるが、上記基材１０の形状に対応させやすい、取り扱いや運搬が容易である等の観点から、合成樹脂が望ましく、なかでも熱硬化性樹脂は、強度と耐久性が好適であるため、より望ましい。
【００１３】
上記自動車用内外装材の製造の第１工程では、上記基材１０が受け治具５０に固定される。なお上記基材１０であるラゲージトリム１０Ａは、該製造とは別の工程で予め成形されたものである（図２参照）。
製造の第２工程では、上記受け治具５０に固定された上記基材１０に対し、上記押さえ治具５１が被着され、上記受け治具５０と上記押さえ治具５１との間に上記基材１０が挟持される（図３参照）。
製造の第３工程では、上記押さえ治具５１の成形凹部５２の内面と、上記基材１０の裏面とに囲まれてなるキャビティ５４内に、上記注入孔５３Ａ，５３Ｂ，５３Ｃを介して樹脂液が注入される（図４参照）。
製造の第４工程では、上記キャビティ５４内に注入された上記樹脂液を発泡流動後に硬化させることにより、上記発泡体１１によって構成される上記スペーサー１１Ａ〜１１Ｅ及び吸音シート１３が上記基材１０の裏面上に一体的に成形される（図５参照）。
上記第４工程の後、上記押さえ治具５１が取り除かれ、上記自動車用内外装材が得られる。
【００１４】
上記第３工程において、樹脂液の注入には、注入ガン（図示略）が使用される。また上記発泡体１１の材料にポリウレタンフォームが用いられる場合、ポリウレタンを発泡させるには、該ポリウレタンの原料混合物に反応性発泡剤や不活性発泡剤を添加して機械的に発泡させる方法を採用することが望ましい。該機械的に発泡させる方法としては、ミキシングヘッドから原料混合物を液状で吐出させ、その液状吐出物をクリーム状とした後で発泡させるノンフロス法、ミキシングヘッドから原料混合物を泡状に吐出させるフロス法、原料混合物を圧搾空気によってスプレーする吹付発泡法等が適用される。また上記発泡体１１の密度の調整は、該第３工程において、樹脂液の注入量が調節されることによって行われる。
上記第４工程において、上記樹脂液を硬化は、必要に応じて圧縮、加熱を行なってもよく、あるいはフリーフォーミングで樹脂液を発泡させて自然硬化させてもよい。また上記発泡体１１の材料にポリウレタンフォームが用いられる場合、ポリウレタンが有する粘着性によって上記基材１０に接合してもよく、あるいは予め基材１０の裏面にホットメルト接着剤やウレタン系接着剤等の接着剤を塗布し、該接着剤によって接合してもよい。
【００１５】
本発明の自動車用内外装材は、上記実施形態で示した構成に限定されず、以下のように変更してもよい。
上記キャビティ５４を複数の空間に区画し、各空間への樹脂液の注入量をそれぞれ変更することで、上記発泡体１１の密度を部分的に変えてもよい。例えば、上記押さえ治具５１の成形凹部５２の内部において、凹部５２Ａと凹部５２Ｂとの間、凹部５２Ｂと凹部５２Ｃとの間にそれぞれ区画壁を設け、該区画壁によって該キャビティ５４の内部を３つの空間に区画し、３つの空間のうち凹部５２Ｂを有する空間への樹脂液の注入量を、凹部５２Ａ及び凹部５２Ｃを有する空間への樹脂液の注入量に比べて少なくすることにより、スペーサー１１Ｂとスペーサー１１Ｃの密度に比べて、スペーサー１１Ｄの密度を小さくすることができる。
なお上記のように樹脂液の注入量を変えて上記発泡体１１の密度を部分的に変える場合、製造の第３工程においては、各空間へ樹脂液を注入する注入ガンは同じものを使用して樹脂液の注入量のみを変えてもよく、あるいは各空間でそれぞれ異なる注入ガンを使用してもよい。
また上記のように成形凹部５２の内部を複数の空間に区画する場合、上記発泡体１１によって構成される上記スペーサー１１Ａ〜１１Ｅと上記基材１０によって構成されるラゲージトリム１０Ａとが一体になっており、かつ上記発泡体１１によって構成される吸音シート１３と上記基材１０によって構成されるラゲージトリム１０Ａとが一体になっているのであれば、成形凹部５２の内部を、スペーサーを成形するための空間と、吸音シートを成形するための空間と、で区画することにより、スペーサー１１Ａ〜１１Ｅと、上記吸音シート１３と、を別体的に形成してもよい。
【００１６】
図６に示すように、自動車用内外装材において、上記発泡体１１により、上記スペーサー１１Ａ〜１１Ｅのみを構成してもよい。該自動車用内外装材の製造は、上記押さえ治具５１に、上記スペーサー１１Ａ〜１１Ｅを成形するための複数の成形凹部５２を形成することで対応することができる。
図７に示すように、自動車用内外装材は、上記基材１０によってライナー部材であるフェンダーライナー２０Ａを構成し、上記発泡体１１によってスペーサー２１Ａ及び吸音シート２１Ｂを構成してもよい。上記フェンダーライナー２０Ａは、自動車のホイールハウス内において、車輪の上部を覆うことにより、該車輪が跳ね上げる小石や砂利や雨水を車内等に進入させないようにするためのものである。また吸音シート２１Ａは、該車輪によるロードノイズや小石等が上記フェンダーライナー２０Ａに衝突して発生するチッピングノイズなどといった騒音が上記フェンダーライナー２０Ａを介して自動車内へ進入することを抑制するものである。
【００１７】
上記基材１０により、上記トリム部材として、ラゲージマット、サイドトリム、デッキトリム、デッキボード、ドアトリム、ドアオープニングトリム等を構成してもよい。また上記基材１０により、上記ライナー部材として、車室内の天井を覆うヘッドライニング、車室内の床を覆うフロアライニング等を構成してもよい。また自動車用内外装材は、ダッシュサイレンサ−、エンジンフードサイレンサー、トランクリッドサイレンサー、バンパーコア、マッドガード、ボディサイドモール等としてもよい。
【産業上の利用可能性】
【００１８】
本発明の自動車用内外装材は、発泡体からなるスペーサーやサイレンサー等が基材の一面上に一体的に形成されているので、車体への装着作業の簡易化を図ることができるから、産業上利用可能である。
【符号の説明】
【００１９】
１０      基材
１０Ａ    ラゲージトリム
２０Ａ    フェンダーライナー
１１      発泡体
１１Ａ，１１Ｂ，１１Ｃ，１１Ｄ，１１Ｅ  スペーサー
１３      吸音シート
２１Ａ    スペーサー
２１Ｂ    吸音シート
５０      受け治具
５１      押さえ治具
５１ａ    成形凹部
【手続補正３】
【補正対象書類名】図面
【補正対象項目名】全図
【補正方法】変更
【補正の内容】
【図１】
2013077003.tif 000010
【図２】
2013077003.tif 000011
【図３】
2013077003.tif 000012
【図４】
2013077003.tif 000013
【図５】
2013077003.tif 000014
【図６】
2013077003.tif 000015
【図７】
2013077003.tif 000016
【国際調査報告】
2013077003.tif 000017
2013077003.tif 000018
2013077003.tif 000019
2013077003.tif 000020